(57)【要約】【課題】  キャッシングサービスが、顧客に早期に返済するような動機付けを図り、優良顧客の囲い込みを推進できるようにした顧客へのポイントサービスシステムを提供する。【解決手段】  ＩＣカードには、ポイント記憶部を有する記憶手段を有し、ＡＴＭには、ＩＣカードにポイントを書き込むＩＣカード読取書込手段と、キャッシング申込又はキャッシングの返済情報を入力する入力手段と、現金処理手段と、顧客のキャッシング申込情報及び返済情報を前記サーバに送信すると共に、顧客に提供するポイントをサーバから受信する送受信手段とを有し、サーバは、ＡＴＭから受信したキャッシング申込情報に基づき融資情報と返済期限情報とを登録する顧客情報データベースと、返済情報を受信した際に、返済期限日よりも早く返済された場合に顧客に提供するポイントを生成するポイント生成手段と、生成したポイントをＡＴＭに送信する手段と、を具備する。【選択図】        図１
2005284612.tif 000002
【特許請求の範囲】
【請求項１】
顧客情報を管理するサーバと、前記サーバとネットワークを介して接続されたＡＴＭと、前記ＡＴＭによりキャッシングの返済を行う顧客が使用するＩＣカードとからなる顧客へのポイントサービスシステムであって、
前記ＩＣカードには、ポイントを記憶するポイント記憶部を有する記憶手段を有し、
前記ＡＴＭには、前記ＩＣカードの記憶手段にポイントを書き込むＩＣカード読取書込手段と、キャッシング申込又はキャッシングの返済情報を入力する入力手段と、現金の出し入れを行う現金処理手段と、顧客のキャッシング申込情報及び返済情報を前記サーバに送信すると共に、顧客に提供するポイントを前記サーバから受信する手段とを有し、
前記サーバは、前記ＡＴＭから受信したキャッシング申込情報に基づいて融資情報と返済期限情報とを登録する顧客情報データベースと、前記ＡＴＭから返済情報を受信した際に、キャッシングの返済日が前記顧客情報管理データベースに登録されている返済期限情報において定められている返済期限日よりも早く返済された場合に、前記顧客に特典として提供するポイントを生成するポイント生成手段と、前記ポイント生成手段で生成したポイントを前記ＡＴＭに送信する手段と、
を具備することを特徴とする顧客へのポイントサービスシステム。
【発明の詳細な説明】
【技術分野】
【０００１】
本発明は、ＡＴＭを利用してキャッシングを行った顧客が、予め定められた返済期限よりも早期に返済した場合に、その顧客に対してサービスポイントを提供する顧客へのポイントサービスシステムに関する。
【背景技術】
【０００２】
従来、クレジット会社や消費者金融などにおいて、顧客自身がＡＴＭを操作することでキャッシング処理を行うキャッシングシステムが採用されている。
これらのキャッシングシステムでは、借り入れた金額を返済する際にも顧客自身がＡＴＭを操作して、返済金をＡＴＭから入金することで返済処理を行えるようにしてある。
また、キャッシングサービスを提供する会社にとっては、キャッシングの際に定めた返済期限内に、予め定めた利息を含めた返済金を間違いなく確実に返済する顧客を１人でも増やすことが安定した経営を行う上で重要であるといえる。
【０００３】
一方、キャッシングを行う顧客にとっては、予め定められた返済期限の最終日に返済したとしても、また返済期限の最終日よりも１日でも早く早期に返済を行ったとしても、特別な特典などのサービスに差がないので、できるだけ最終日に返済すればよいという気持ちになり、最終日が仕事などで忙しい状態となったりした場合などにはうっかり返済期限を忘れてしまうということも起こりうる。
このような場合には、本来優良顧客であっても、返済に１回でも滞納が生じた場合にキャッシングサービス会社がその顧客を優良顧客のリストからはずしてしまうこととなり、キャッシングサービス会社にとっても本来優良顧客である顧客をにがしてしまうといった不都合が生じることになる。
また、顧客側にとっても早期に返済する具体的な動機付けがないために、日頃から早期に返済する習慣をつけずらいといった不満がある。
【０００４】
従来、銀行業務の顧客サービスにポイントサービスシステムを利用する技術として、銀行側のホストコンピュータでポイント管理を行う技術がある。（例えば、特許文献１参照）
しかしながら、公知のポイントサービスシステムでは、キャッシングサービスを受けた顧客が、そのキャッシングに対する返済を早期に行ったとしてもサービスポイントを受けられるものではなく、キャッシングを行った顧客ができるだけ早期に返済を行うという動機付けを顧客に与えることができないものである。
【特許文献１】特開平８−５５１６７号公報
【発明の開示】
【発明が解決しようとする課題】
【０００５】
本発明は、クレジット会社や消費者金融など、顧客へキャッシングサービスを行う会社が、キャッシングを受けた顧客に対して予め定めた返済期限よりもできるだけ早期に返済するような動機付けを図れるようにすると共に、返済期限までに返済を終了しない滞納者を減少させ、また優良顧客に対するより一層の特典を与えられるようにすることで、一般顧客と優良顧客との差別化を図れるようにして優良顧客の囲い込みを推進できるようにした顧客へのポイントサービスシステムを提供する。
【課題を解決するための手段】
【０００６】
本発明の顧客へのポイントサービスシステムは、顧客情報を管理するサーバと、前記サーバとネットワークを介して接続されたＡＴＭと、前記ＡＴＭによりキャッシングの返済を行う顧客が使用するＩＣカードとからなる顧客へのポイントサービスシステムであって、前記ＩＣカードには、ポイントを記憶するポイント記憶部を有する記憶手段を有し、前記ＡＴＭには、前記ＩＣカードの記憶手段にポイントを書き込むＩＣカード読取書込手段と、キャッシング申込又はキャッシングの返済情報を入力する入力手段と、現金の出し入れを行う現金処理手段と、顧客のキャッシング申込情報及び返済情報を前記サーバに送信すると共に、顧客に提供するポイントを前記サーバから受信する送受信手段とを有し、前記サーバは、前記ＡＴＭから受信したキャッシング申込情報に基づいて融資情報と返済期限情報とを登録する顧客情報データベースと、前記ＡＴＭから返済情報を受信した際に、キャッシングの返済日が前記顧客情報管理データベースに登録されている返済期限情報において定められている返済期限日よりも早く返済された場合に、前記顧客に特典として提供するポイントを生成するポイント生成手段と、前記ポイント生成手段で生成したポイントを前記ＡＴＭに送信する手段と、を具備することを特徴とする。
【発明の効果】
【０００７】
本発明の顧客へのポイントサービスシステムによれば、キャッシングを利用した顧客が、予め定められた返済期限日よりも早く返済した場合に特典としてポイントを受けることができるので、顧客に対してできるだけ早期返済をしようという動機付けを与えることができ、滞納者を減少させ、またポイントの保有量に応じたサービスを与えることで、優良顧客と一般顧客との差別化が図れ優良顧客の囲い込みを推進できるという効果がある。
【発明を実施するための最良の形態】
【０００８】
以下、本発明の実施の形態を図面に基づいて詳細に説明する。
図１は、本発明の実施形態に係る顧客へのポイントサービスシステムの概要を説明する構成図、図２は、本発明の実施形態に用いるＩＣカードの平面図、図３は、本発明の実施形態に用いるＩＣカードのブロック図、図４は、本発明の実施形態に用いるＩＣカードの機能を説明するシステムブロック図、図５は、本発明の実施形態に係る顧客へのポイントサービスシステムのシステムブロック図、図６は、本発明の実施形態に係る顧客へのポイントサービスシステムにおけるポイント付与を説明する図、図７及び図８は、本発明の実施形態に係る顧客へのポイントサービスシステムの処理手順を説明するフローチャートである。
【０００９】
本発明の実施形態に係る顧客へのポイントサービスシステムは、図１に示すように、融資会社側から利用者に発行される利用者用のＩＣカード１と、利用者自身が操作して融資会社との取引処理を行うＡＴＭ２と、そのＡＴＭ２とネットワーク４を介して通信可能に接続された融資会社側のサーバ３とにより構成される。
ＡＴＭ２は、複数の設置場所に設けられて、各ＡＴＭ２は、融資会社側のサーバ３に通信可能に接続されている。
【００１０】
利用者用のＩＣカード１は、図２に示すように、ＩＣチップが内蔵されたＩＣモジュール５がカード基材に埋設された構成を有している。
そして、図３に示すように、ＩＣモジュール５に内臓されたＩＣチップには、ＣＰＵ６、書き換え可能な不揮発性メモリ（ＥＥＰＲＯＭ）７、読み出し専用メモリ（ＲＯＭ）８、揮発性メモリ（ＲＡＭ）９が備えられている。
また、更にＩＣモジュール５には、電源電圧を供給するＶＣＣ端子１０、接地用のＧＮＤ端子１１、リセット信号を供給するＲＳＴ端子１２、クロック信号を供給するＣＬＫ端子１３、データ入出力用のＩ／Ｏ端子１４が備えられている。
【００１１】
そして、ＩＣモジュール５のＩＣチップ５ａにおいて、ＥＥＰＲＯＭ７には、ＩＣカード１の使用者が正規の使用権を有する本人であるか否かを検証する際に、利用者がＡＴＭ２の入力手段から入力された暗証番号と照合処理するための暗証番号が予め登録されている暗証番号記憶領域７ａと、ポイント数を記憶するためのポイント数記憶領域７ｂと、その他のデータを記憶する記憶領域７ｃとを有している。
ポイント数記憶領域７ｂには、銀行側のサーバ３からネットワーク４を介してＡＴＭ２に送信されたポイントを、ＡＴＭ２からＩＣカード１に書き込んで記憶する記憶領域であり、ここに記憶されたポイントは、必要に応じて使用することで減算したり、追加することができるようにしてある。
また、読み出し専用メモリ（ＲＯＭ）８には、処理プログラムなどが予め登録されて、ＩＣカード１内での処理手順はこの処理プログラムに基づいて行われる。
【００１２】
また、ＡＴＭ２には、図１に示すように、ＩＣカード読取書込手段１５、表示手段１６、通信手段１７、記憶手段１８、入力手段１９、現金処理手段２０、制御手段２１などが備えられている。
ＩＣカード読取書込手段１５は、ＩＣカード１に記憶された暗証番号やポイントを読み取ったり、ＩＣカード１にポイントを書き込んだりする機能を有している。
また、記憶手段１８には、処理プログラムや操作表示データなどが登録され、利用者自身がＡＴＭ２を操作する際に必要な説明情報や操作手順情報などを随時表示できるようにすると共に、入力手段１９から利用者が入力した情報に対応した処理種々の処理が行えるようにしてある。
【００１３】
また、融資会社側のサーバ３には、通信手段２２、金融取引処理手段２３、ポイント生成手段２４、ポイント送信制御手段２５、記憶手段２６、提供サービス選出処理手段２７、サービス機能追加手段２８、制御手段２９、顧客情報データベース３０などを有する。
顧客情報データベース３０には、顧客ＩＤ番号、融資残高データ、利用者の個人情報、ポイント残高、融資・返済などの処理種別データ、取引処理日などのデータが登録される。
【００１４】
サーバ３の記憶手段２６には、制御プログラムなどが登録されていて、この制御プログラムに基づいて処理が実施される。
金融取引処理手段２３は、ＡＴＭ２から受信した利用者の指示選択情報に基づいて融資や返済の処理を行う機能を有している。
ポイント生成手段２４は、既に融資が行われた顧客がＡＴＭ２を使用して返済処理する際に、その顧客に対して顧客サービスとしてポイントを生成して提供するものである。
これら顧客に提供されるポイントとしては、図６に示すように、キャッシング利用ポイント３１と優良顧客ポイント３２と早期返済ポイント３３の３種類が用意されている。
【００１５】
キャッシング利用ポイント３１は、ＡＴＭを利用して融資を受ける顧客に対して付与されるポイントであり、例えば１ポイントを付与する。
次に、優良顧客ポイント３２は、顧客審査において一定条件を満たす顧客に対して付与されるポイントであり、例えば、その顧客が１つの会社で長期間の勤続年数があるなどの場合には返済の可能性が高く信用度が大きいので、そのような顧客を優良顧客として優遇するために、融資の返済時に、例えば１ポイントを付与する。
また、早期返済ポイント３３は、キャッシングの返済日が顧客情報データベース３０に登録されている返済期限情報において定められている返済期限日よりも早く返済された場合に、その顧客に対して特典として提供するポイントであり、例えば３ポイントを付与する。
【００１６】
図６には、一般顧客と優良顧客へのポイントの付与例が示されている。
まず、図６（ａ）に示す一般顧客の場合には、ＡＴＭ２を利用した返済の際に、キャッシング利用ポイント３１として１ポイントが付与されるが、顧客審査において優良顧客でないと審査されたために優良顧客ポイント３２は０ポイントで、更にキャッシングの返済日が顧客情報データベース３０に登録されている返済期限情報において定められている返済期限日よりも早く返済されていないと判断されたので、早期返済ポイント３３も０ポイントであり、これらにより総合ポイントとして１ポイントが付与されることとなる。
【００１７】
また、まず、図６（ｂ）に示す優良顧客の場合には、ＡＴＭ２を利用した返済の際に、キャッシング利用ポイント３１として１ポイントが付与され、また顧客審査において優良顧客であると審査されたために優良顧客ポイント３２が１ポイントで、更にキャッシングの返済日が顧客情報管理データベース３０に登録されている返済期限情報において定められている返済期限日よりも早く返済されていたと判断されたので、早期返済ポイント３３が３ポイントとなり、これらにより総合ポイントとして５ポイントが付与されることとなる。
このように、顧客がＡＴＭ２を使用して返済処理を行った場合には、その顧客に応じたポイントが算出されて顧客に対して提供されるようにしてある。
【００１８】
次に、本発明の実施形態に係る顧客へのポイントサービスシステムの処理手順を、図７及び図８に示すフローチャートに基づいて説明する。
まず、顧客がＡＴＭ２を利用して融資を受ける場合の処理について説明する。
最初に顧客のＩＣカード１をＡＴＭ２のＩＣカード挿入口から挿入してセットする。（ステップＳ１）
次に、顧客は、ＡＴＭ２の入力手段から暗証番号の入力を行い、ＩＣカード１に記憶されている暗証番号との照合処理が行われる。（ステップＳ２）
この照合処理の結果、照合一致した場合には、ＩＣカード１に記憶されている顧客ＩＤ番号の読み取りが行われる。（ステップＳ３）
また、この照合処理の結果、照合不一致した場合には、その後の処理を終了する。
【００１９】
次に、顧客は、借入希望金額を入力する。（ステップＳ４）
そして、ＡＴＭ２からサーバ３にネットワーク４を介して顧客ＩＤ番号と借入希望金額の情報が送信される。（ステップＳ５）
これらの情報を受信したサーバ３では、金融取引処理手段２３により融資審査処理が行われる。（ステップＳ６）
そして、この融資審査処理の結果において、融資が認められた場合には、次に、その顧客が優遇対象の顧客であるか否かの判定が行われる。（ステップＳ７）
【００２０】
この判定において、優遇対象の顧客であると判定された場合には、その顧客に提供すべきサービスの選出が行われる。（ステップＳ８）
次に、サーバ３からＡＴＭ２に対して、顧客に提供すべきサービス情報が送信される。（ステップＳ９）
そして、ＡＴＭ２のＩＣカード読取書込手段１５によりＩＣカード１に顧客に提供すべきサービス情報が書き込まれる。（ステップＳ１０）
次に、ＡＴＭ２から融資される現金を排出する。（ステップＳ１１）
次に、ＡＴＭ２のＩＣカード挿入口からＩＣカード１が排出される。（ステップＳ１２）
以上の処理により、顧客への融資処理とＩＣカード１へのサービス情報の書込処理が行われる。
【００２１】
尚、ステップＳ６における金融取引処理手段２３により融資審査処理で、融資を行なえないと判断された場合には、ＡＴＭ２のＩＣカード挿入口からＩＣカード１を排出して処理を終了する。
また、ステップＳ７における優遇対象の顧客か否かの判定で、その顧客が優遇顧客でないと判定された場合には、顧客に提供すべきサービスの選出を行なわないで、ＡＴＭ２から貸し出す現金を排出し、更にＩＣカード挿入口からＩＣカード１を排出して処理を終了する。
【００２２】
次に、顧客がＡＴＭ２を利用して融資された現金の返済処理を行う場合の処理について説明する。
最初に顧客のＩＣカード１をＡＴＭ２のＩＣカード挿入口から挿入してセットする。（ステップＳ２０）
次に、顧客は、ＡＴＭ２の入力手段から暗証番号の入力を行い、ＩＣカード１に記憶されている暗証番号との照合処理が行われる。（ステップＳ２１）
この照合処理の結果、照合一致した場合には、ＩＣカード１に記憶されている顧客ＩＤ番号の読み取りが行われる。（ステップＳ２２）
また、この照合処理の結果、照合不一致した場合には、その後の処理を終了する。
【００２３】
次に、顧客は、返済する現金の入金処理を行う。（ステップＳ２３）
そして、ＡＴＭ２からサーバ３にネットワーク４を介して顧客ＩＤ番号と返済金額の情報が送信される。（ステップＳ２４）
これの情報を受信したサーバ３では、金融取引処理手段２３により返済処理が行われ、顧客情報データベース３０に返済金額及び返済日などの情報が登録される。（ステップＳ２５）
【００２４】
次に、顧客情報データベース３０に基づいて、その返済処理を行った顧客が優遇すべき優良顧客に該当するか否かの判定がおこなわる。（ステップＳ２６）
この判定で、優良顧客に該当する場合には、１ポイントの付与処理が行われる。（ステップＳ２７）
次に、返済日が、顧客情報データベース３０に登録されている返済期限情報において定められている返済期限日よりも早く返済されたものであるか否かが判定される。（ステップＳ２８）
早期返済に該当する場合には、３ポイントが付与される。（ステップＳ２９）
そして、ＡＴＭ２を使用してキャッシング利用ポイントとして、１ポイントの付与処理が行われる。（ステップＳ３０）
【００２５】
次に、これら顧客に対して付与するポイントを合計した総ポイント数を、サーバ３からＡＴＭ２に対して送信する。（ステップＳ３１）
これらのポイント情報を受信したＡＴＭ２は、ＩＣカード１の記憶手段に追記されて書き込まれる。（ステップＳ３２）
次に、ＡＴＭ２のＩＣカード挿入口からＩＣカード１が排出される。（ステップＳ３３）
【００２６】
以上のように、特に早期に返済を行った顧客に対して、より多くのポイントの提供が行われるようにしており、これらのポイントをＩＣカード１に蓄積することで、様々なサービスや優遇処置が施すようにすることで、滞納者を減少させ、またポイントの保有量に応じたサービスを与えることで、優良顧客と一般顧客との差別化を図り、優良顧客の囲い込みを推進できるようにしてある。
【図面の簡単な説明】
【００２７】
【図１】本発明の実施形態に係る顧客へのポイントサービスシステムの概要を説明する構成図である。
【図２】本発明の実施形態に用いるＩＣカードの平面図である。
【図３】本発明の実施形態に用いるＩＣカードのブロック図である。
【図４】本発明の実施形態に用いるＩＣカードの機能を説明するシステムブロック図である。
【図５】本発明の実施形態に係る顧客へのポイントサービスシステムのシステムブロック図である。
【図６】本発明の実施形態に係る顧客へのポイントサービスシステムにおけるポイント付与を説明する図である。
【図７】本発明の実施形態に係る顧客へのポイントサービスシステムの処理手順を説明するフローチャートである。
【図８】本発明の実施形態に係る顧客へのポイントサービスシステムの処理手順を説明するフローチャートである。
【符号の説明】
【００２８】
１  ＩＣカード
２  ＡＴＭ
３  サーバ
４  ネットワーク
５  ＩＣモジュール
６  ＣＰＵ
７  書き換え可能な不揮発性メモリ（ＥＥＰＲＯＭ）
７ａ  暗証番号記憶領域
７ｂ  ポイント数記憶領域
７ｃ  記憶領域
８  読み出し専用メモリ（ＲＯＭ）
９  揮発性メモリ（ＲＡＭ）
１０  ＶＣＣ端子
１１  接地用のＧＮＤ端子
１２  ＲＳＴ端子
１３  ＣＬＫ端子
１４  データ入出力用のＩ／Ｏ端子
１５  ＩＣカード読取書込手段
１６  表示手段
１７，２２  通信手段
１８，２６  記憶手段
１９  入力手段
２０  現金処理手段
２１，２９  制御手段
２３  金融取引処理手段
２４  ポイント生成手段
２５  ポイント送信制御手段
２７  提供サービス選出処理手段
２８  サービス機能追加手段
３０  顧客情報データベース
３１  キャッシング利用ポイント
３２  優良顧客ポイント
３３  早期返済ポイント
【図１】
2005284612.tif 000003
【図２】
2005284612.tif 000004
【図３】
2005284612.tif 000005
【図４】
2005284612.tif 000006
【図５】
2005284612.tif 000007
【図６】
2005284612.tif 000008
【図７】
2005284612.tif 000009
【図８】
2005284612.tif 000010